(57)【特許請求の範囲】
【請求項１】
下端部にねじ付オス端子螺合孔が形成され、上端部にオス端子嵌合孔が形成された接続導体のほぼ中央部より外方へ突出する分岐導体の端部に分岐オス端子嵌合孔が形成された分岐接続導体と、この分岐接続導体の外周部を覆う絶縁体と、前記接続導体のねじ付オス端子螺合孔に螺合固定される高圧ケーブルに接続されたねじ付オス端子と、前記接続導体のオス端子嵌合孔に嵌合固定される高圧ケーブルに接続されたオス端子と、前記分岐接続導体の分岐オス端子嵌合孔に嵌合固定される高圧分岐ケーブルに接続された分岐オス端子と、前記分岐導体の周囲部に一方が位置し、他方が前記接続導体が位置する部位の前記絶縁体に取付けられる取付け金具と、この取付け金具の上下部に取付けられる、前記接続導体に接続されたねじ付オス端子、オス端子およびこれらの端子に接続された高圧ケーブルの導体部分をカバーする上下絶縁筒と、前記取付け金具に取付けられた前記分岐接続導体の分岐オス端子嵌合孔に嵌合された分岐オス端子および該端子に接続された分岐高圧ケーブルの導体部分をカバーする分岐絶縁筒とからなることを特徴とする高圧ケーブルの接続装置。
【請求項２】
下端部にねじ付オス端子螺合孔が形成され、上端部にオス端子嵌合孔が形成された接続導体と、この接続導体の外周部を覆う中央部が大径に形成された絶縁体と、前記接続導体のねじ付オス端子螺合孔に螺合固定される高圧ケーブルに接続されたねじ付オス端子と、前記接続導体のオス端子嵌合孔に嵌合固定される高圧ケーブルに接続されたオス端子と、前記絶縁体の中央部に上下移動不能に取付けられた取付け金具と、この取付け金具の上下部に取付けられる、前記接続導体に接続されたねじ付オス端子、オス端子およびこれらの端子に接続された高圧ケーブルの導体部分をカバーする上下絶縁筒とからなることを特徴とする高圧ケーブルの接続装置。
【発明の詳細な説明】
【技術分野】
【０００１】
本発明は高圧ブランチケーブルや高圧ケーブルの接続装置に関する。
【背景技術】
【０００２】
従来の高圧ケーブルの接続は一方の高圧ケーブルの導体と他方の高圧ケーブルの導体を圧縮スリーブ等で接続し，その後絶縁体等の構造を現場作業で作り込むことが必要であった。
【０００３】
このため、特に垂直布設においては一方の端子と他方の端子の接続部で高圧ケーブルの自重による荷重を受けなければならず、十分な強度が得られる構造にしなければならず、また，現場での作業は、接続作業が大変で、手数がかかるという欠点があった。
【特許文献１】特になし
【発明の開示】
【発明が解決しようとする課題】
【０００４】
本発明は以上のような従来の欠点に鑑み、接続作業が容易で、該接続部に荷重が加わるのを効率よく阻止することができる高圧ケーブルの接続装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は下端部にねじ付オス端子螺合孔が形成され、上端部にオス端子嵌合孔が形成された接続導体のほぼ中央部より外方へ突出する分岐導体の端部に分岐オス端子嵌合孔が形成された分岐接続導体と、この分岐接続導体の外周部を覆う絶縁体と、前記接続導体のねじ付オス端子螺合孔に螺合固定される高圧ケーブルに接続されたねじ付オス端子と、前記接続導体のオス端子嵌合孔に嵌合固定される高圧ケーブルに接続されたオス端子と、前記分岐接続導体の分岐オス端子嵌合孔に嵌合固定される高圧分岐ケーブルに接続された分岐オス端子と、前記分岐導体の周囲部に一方が位置し、他方が前記接続導体が位置する部位の前記絶縁体に取付けられる取付け金具と、この取付け金具の上下部に取付けられる、前記接続導体に接続されたねじ付オス端子、オス端子およびこれらの端子に接続された高圧ケーブルの導体部分をカバーする上下絶縁筒と、前記取付け金具に取付けられた前記分岐接続導体の分岐オス端子嵌合孔に嵌合された分岐オス端子および該端子に接続された分岐高圧ケーブルの導体部分をカバーする分岐絶縁筒とで高圧ケーブルの接続装置を構成している。
【発明の効果】
【０００７】
以上の説明から明らかなように、本発明にあっては次に列挙する効果が得られる。
【０００８】
（１）分岐接続導体のねじ付オス端子螺合孔にねじ付オス端子を螺合固定するとともに、オス端子嵌合孔および分岐オス端子嵌合孔にオス端子および分岐オス端子を嵌合固定するだけで接続することができる。
したがって、簡単な作業で接続することができる。
【０００９】
（２）前記（１）によって、取付け金具によって壁面やケーブルラック等の支持部に取付けることができる。
したがって、取付け金具で高圧ケーブルの自重等の荷重を受けることができ、接続部に該荷重が加わるのを効率よく阻止することができる。
【００１０】
（３）前記（１）によって、上下絶縁筒と分岐接続筒を取付け金具に取付けることができる。
したがって、確実に導体部分を絶縁状態にカバーすることができる。
【００１１】
（４）請求項２も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図１０に示す本発明を実施するための最良の第１の形態において、１は建物等に配線される高圧ブランチケーブルや高圧ケーブル２を接続するための高圧ケーブルの接続装置で、この高圧ケーブルの接続装置１は下端部にねじ付オス端子螺合孔３が形成され、上端部にオス端子嵌合孔４が形成された接続導体５のほぼ中央部より外方へ一体的に突出する分岐導体６の端部に分岐オス端子嵌合孔７が形成された分岐接続導体８と、この分岐接続導体８の外周部を覆うゴム材等の絶縁体９と、前記接続導体５のねじ付オス端子螺合孔３に螺合固定されるねじ部１０が一端部に形成され、他端部に一方の高圧ケーブル２の導体２ａが圧着固定されるスリーブ１１が形成されたねじ付オス端子１２と、前記接続導体５のオス端子嵌合孔４に嵌合固定される嵌合片１３が一端部に形成され、他端部に他方の高圧ケーブル２の導体２ａが圧着固定されるスリーブ１４が形成されたオス端子１５と、前記分岐接続導体８の分岐オス端子嵌合孔７に嵌合固定される嵌合片１６が一端部に形成され、ほぼ直角方向に突出する他端部に高圧分岐高圧ケーブル１７の導体１７ａが圧着固定されるスリーブ１８が形成された分岐オス端子１９と、前記分岐導体６の上下部に一方が位置し、他方が前記接続導体５が位置する部位の前記絶縁体９に取付けられた、壁面に取付けられる支持金具やケーブルラック等の支持部２０に複数本のボルト２１、２１、２１、２１で取付けられる取付け金具２２と、この取付け金具２２の上下部に複数本のビス２３等によって取付けられる前記分岐接続導体８に接続されたねじ付オス端子１２、オス端子１５およびこれらの端子１２、１５に接続された高圧ケーブル２、２の導体部分２ａ、２ａをカバーする上・下部絶縁筒２４、２５と、前記取付け金具２２に取付けられた前記分岐接続導体８の分岐オス端子嵌合孔７に嵌合された分岐オス端子１９および、該端子１９に接続された高圧分岐高圧ケーブル１７の導体部分１７ａをカバーする分岐絶縁筒２６とで構成されている。
【００１４】
前記取付け金具２２は図８および図９に示すように、前記支持部２０に複数本のボルト２１、２１、２１、２１で固定される外壁面が平面で、内壁面に前記絶縁体９の中央部分のほぼ半分が入り込む半円弧状の凹部２７が形成された取付け金具本体２８と、この取付け金具本体２８の上下部位に複数本、本実施の形態では上下部各２本のボルト２９、２９、２９、２９で固定される、前記分岐接続導体８部位の絶縁体９の上下部に位置する内壁面に半円弧状の凹部３０が形成されるとともに、該凹部３０に開口する分岐絶縁体挿通孔３２が形成された支持金具３３と、前記取付け金具本体２８の上下面および前記支持金具３３
の上下面部位に形成された、前記上・下絶縁筒２４、２５を複数個のビス２３で取付けるためのねじ孔３４、３４、３４、３４、３４、３４、３４、３４と、前記支持金具３３にビス３５等によって取付けられる、前記分岐オス端子１９を支持させる分岐オス端子支持金具３６とで構成されている。
【００１５】
上記構成の高圧ケーブルの接続装置１は取付け金具２２が取付けられた接続具本体３７の下部位置のねじ付オス端子螺合孔３に高圧ケーブル２が取付けられるとともに、下部絶縁筒２５で高圧ケーブル２の導体２ａを覆えるようにセットしたねじ付オス端子１２のねじ部１０を螺合固定した後、下部絶縁筒２５の取付け部２５ａをビス２３、２３、２３、２３によって取付け金具２２に取付ける。
次に、取付け金具２２をボルト２１、２１、２１、２１によって壁面に取付けられる支持金具やケーブルラック等の支持部２０に取付ける。
【００１６】
しかる後、接続具本体３７の上部位置のオス端子嵌合孔４に高圧ケーブル２が取付けられるとともに、上部絶縁筒２４で高圧ケーブル２の導体２ａを覆えるようにセットしたオス端子１５の嵌合孔１３を押し込み嵌合させた後、上部絶縁筒２４の取付け部２４ａをビス２３、２３、２３、２３によって取付け金具２２に取付ける。
さらに、接続具本体３７の分岐オス端子嵌合孔７に高圧分岐ケーブル１７が取付けられるとともに、分岐絶縁筒２６で高圧分岐ケーブル１７の導体１７ａを覆えるようにセットした分岐オス端子１９の嵌合片１６を押し込み嵌合させた後、分岐絶縁筒２６を取付け金具２２に押し圧状態で取付けられるように分岐オス端子支持金具３６の蝶ボルト３８をねじ込んで固定することで取付けが完了する。
[発明を実施するための異なる形態]
【００１７】
次に、図１１ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図１１ないし図１４に示す本発明を実施するための第２の形態において、前記本発明を実施するための最良の第１の形態と主に異なる点は、絶縁体９より下方へ突出し、外周部にねじ部３９が形成された接続導体５Ａと、この接続導体５Ａのねじ部３９と螺合固定されるねじ部４０が形成された絶縁スリーブ４１と、オス端子嵌合孔４に嵌合されるオス端子１５Ａのスリーブ１４の上部外周部にねじ部３９を形成し、該ねじ部３９と螺合固定されるねじ部４４が形成された絶縁スリーブ４１とを用いた点で、このように構成した高圧ケーブルの接続装置１Ａにしても、前記本発明を実施するための最良の第１の形態と同様な作用効果が得られる。
【００１９】
図１５ないし図１７に示す本発明を実施するための第３の形態において、前記本発明を実施するための最良の第１の形態と主に異なる点は、分岐接続導体のない接続導体５を用いるとともに、中央部が外方へ突出するフランジ状の突片４２を有する絶縁体９Ａと、この絶縁体９Ａの突片４２が入り込む凹部４３、４３を形成した取付け金具本体２８Ａおよび支持金具４４とからなる取付け金具２２Ａを用いた点で、このように構成した高圧ケーブルの接続装置１Ｂにしても、前記本発明を実施するための最良の第１の形態と同様な作用効果が得られる。
【産業上の利用可能性】
【００２０】
本発明は高圧ケーブルの接続装置を製造する産業で利用される。
【図面の簡単な説明】
【００２１】
【図１】本発明を実施するための最良の第１の形態の使用状態の説明図。
【図２】本発明を実施するための最良の第１の形態の要部拡大断面図。
【図３】図２の３−３線に沿う断面図。
【図４】図２の４−４線に沿う断面図。
【図５】図２の側面図。
【図６】図２の正面図。
【図７】本発明を実施するための最良の第１の形態の分岐接続導体を絶縁体で覆った断面図。
【図８】本発明を実施するための最良の第１の形態の取付け金具の正面図。
【図９】本発明を実施するための最良の第１の形態の取付け金具の平面図。
【図１０】本発明を実施するための最良の第１の形態の取付け金具の側面図。
【図１１】本発明を実施するための第２の形態の説明図。
【図１２】本発明を実施するための第２の形態の縦断面図。
【図１３】本発明を実施するための第２の形態の分岐接続導体を絶縁体で覆った断面図。
【図１４】本発明を実施するための第２の形態のオス端子の説明図。
【図１５】本発明を実施するための第３の形態の説明図。
【図１６】本発明を実施するための第３の形態の縦断面図。
【図１７】図１６の１７−１７線に沿う断面図。
【符号の説明】
【００２２】
１、１Ａ、１Ｂ：高圧ケーブルの接続装置、
２：高圧ブランチケーブルや高圧ケーブル、
３：ねじ付オス端子螺合孔、         ４：オス端子嵌合孔、
５、５Ａ：接続導体、               ６：分岐導体、
７：分岐オス端子嵌合孔、           ８：分岐接続導体、
９、９Ａ：絶縁体、                 １０：ねじ部、
１１：スリーブ、                   １２：ねじ付オス端子、
１３：嵌合片、                     １４：スリーブ、
１５、１５Ａ：オス端子、           １６：嵌合片、
１７：高圧分岐ケーブル、           １８：スリーブ、
１９：分岐オス端子、               ２０：支持部、
２１：ボルト、                     ２２、２２Ａ：取付け金具、
２３：ビス、                       ２４：上部絶縁筒、
２５：下部絶縁筒、                 ２６：分岐絶縁筒、
２７：凹部、                       ２８、２８Ａ：取付け金具本体、
２９：ボルト、                     ３０：凹部、
３１：外壁面、                     ３２：分岐絶縁体挿通孔、
３３：支持金具、                   ３４：ねじ孔、
３５：ビス、                       ３６：分岐オス端子支持金具、
３７：接続具本体、                 ３８：蝶ボルト、
３９：ねじ部、                     ４０：ねじ部、
４１：絶縁スリーブ、               ４２：突片、
４３：凹部、                       ４４：支持金具。
【図１】
0004773894.tif 000002
【図２】
0004773894.tif 000003
【図３】
0004773894.tif 000004
【図４】
0004773894.tif 000005
【図５】
0004773894.tif 000006
【図６】
0004773894.tif 000007
【図７】
0004773894.tif 000008
【図８】
0004773894.tif 000009
【図９】
0004773894.tif 000010
【図１０】
0004773894.tif 000011
【図１１】
0004773894.tif 000012
【図１２】
0004773894.tif 000013
【図１３】
0004773894.tif 000014
【図１４】
0004773894.tif 000015
【図１５】
0004773894.tif 000016
【図１６】
0004773894.tif 000017
【図１７】
0004773894.tif 000018